(57)【要約】  ラミネートガラス１００は、外面と内面とから成る第１の基板１００ａと、第１の基板１００ａの内面上に配設される１つまたは複数の中間層１００ｃと、中間層１００ｃ上に配設される第２の基板１００ｂと、少なくとも１つのデータトランスポンダデバイス１０２、１０４とから構成される。データトランスポンダデバイス１０２、１０４は、第１の基板１００ａと第２の基板１００ｂとの間に提供されるアンテナ１０２ａ、１０４ａと集積回路１０２ｂ、１０４ｂとから構成される。任意選択で、１つまたは複数の加熱要素１０６が、第１の基板１００ａと第２の基板１００ｂとの間に提供され、データトランスポンダ１０２、１０４のアンテナ１０２ａ、１０４ａを迅速に加熱するために、予め定義された距離でデータトランスポンダデバイス１０２、１０４の周囲に間隔を空けて置かれる。
2020523681.tif 000002
【特許請求の範囲】
【請求項１】
外面と内面とから成る第１の基板１００ａと、
前記第１の基板１００ａの前記内面上に配設される１つまたは複数の中間層１００ｃと、
前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置される、
を備える、ラミネートガラス１００。
【請求項２】
外面と内面とから成る第１の基板１００ａと、
前記第１の基板１００ａの前記内面上に配設される１つまたは複数の中間層１００ｃと、
外面と内面とから成る、前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置される、
前記第１の基板１００ａと前記第２の基板１００ｂとの間に提供される１つまたは複数の加熱要素１０６と、ここにおいて、前記加熱要素１０６は、前記データトランスポンダデバイス１０２、１０４において予め定義された距離で前記データトランスポンダデバイス１０２、１０４の周囲に位置決めされる、
を備える、ラミネートガラス１００。
【請求項３】
前記加熱要素１０６が、前記アンテナ１０２ａ、１０４ａの周囲の領域を加熱するように構成される、請求項１または２に記載のラミネートガラス１００。
【請求項４】
前記ラミネートガラス１００のエッジの周囲にセラミックマスキング領域７１０を備える、請求項１または２に記載のラミネートガラス１００。
【請求項５】
前記データトランスポンダデバイス１０２、１０４が、前記セラミックマスキング領域７１０上に位置決めされ、それによって前記データトランスポンダデバイス１０２、１０４に紫外線保護を提供するように構成される、請求項４に記載のラミネートガラス１００。
【請求項６】
前記トランスポンダデバイス１０２、１０４の選択的な読み取りを提供するために電波を反射または吸収することができる１つまたは複数の有機物または無機物から実質的に成るアクセス遮蔽層９１０を任意選択で備える、請求項１または２に記載のラミネートガラス１００。
【請求項７】
添加剤を有するエポキシ樹脂を備える前記データトランスポンダデバイス１０２、１０４に紫外線保護を提供するように構成されたＵＶ保護層８１０を任意選択で備え、ここにおいて、前記添加剤は、アクリル酸ウレタンベースのコーティング、二酸化チタン（Ｔｉｏ２）、酸化亜鉛（ＺｎＯ）ナノ粒子が埋め込まれたアクリルコーティング、フッ化アルミニウム（ＡｌＦ３）、ヘキサフルオロアルミン酸ナトリウム（ＮＡ３ＡｌＦ６）、フッ化マグネシウム（ＭｇＦ２）、三フッ化ランタン（ＬＡＦ３）、フッ化ガドリニウム（ＧｄＦ３）、または、これらの組合せから成る群から選択される、請求項１または２に記載のラミネートガラス１００。
【請求項８】
前記第１の基板１００ａまたは前記第２の基板１００ｂは、可変の厚さを有する、請求項１または２に記載のラミネートガラス１００。
【請求項９】
前記第１の基板１００ａまたは前記第２の基板１００ｂの前記厚さは、少なくとも０．５ｍｍである、請求項８に記載のラミネートガラス１００。
【請求項１０】
前記データトランスポンダ１０２、１０４は、基板と、アンテナと、チップと、オーバーレイとから成る層のスタックから構成され、ここにおいて、前記基板および前記オーバーレイは、ガラスまたはポリマーから構成され、ここにおいて、前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタンおよび／もしくはポリ塩化ビニルおよび／もしくはポリエステルおよび／もしくは（ＴＰＵ）、アイオノマー、熱可塑性材料、ポリブチレンテレフタレート（ＰＢＴ）、ポリエチレン酢酸ビニル（ＰＥＴ）および／もしくはポリカーボネートおよび／もしくはポリプロピレンおよび／もしくはポリエチレンおよび／もしくはポリウレタンアクリレート、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、請求項１または２に記載のラミネートガラス１００。
【請求項１１】
前記第１の基板１００ａまたは前記第２の基板１００ｂのうちの少なくとも一方は、ガラスまたはポリマーである、請求項１または２に記載のラミネートガラス１００。
【請求項１２】
前記ポリマーは、ポリカーボネート（ＰＣ）またはポリプロピレン（ＰＰ）である、請求項１１に記載のラミネートガラス１００。
【請求項１３】
前記第１の基板１００ａまたは前記第２の基板１００ｂの形状は、平坦であり、湾曲しており、楔形であり、または起伏付きである、請求項１または２に記載のラミネートガラス１００。
【請求項１４】
前記中間層１００ｃは、ポリマーを備える、請求項１または２に記載のラミネートガラス１００。
【請求項１５】
前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタン（ＴＰＵ）、アイオノマー、熱可塑性材料、ポリブチレンテレフタレート（ＰＢＴ）、ポリエチレン酢酸ビニル（ＰＥＴ）、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、請求項１４に記載のラミネートガラス１００。
【請求項１６】
前記データトランスポンダデバイス１０２、１０４は、前記第１の基板１００ａと前記第２の基板１００ｂとの間に挟持される、請求項１または２に記載のラミネートガラス１００。
【請求項１７】
前記データトランスポンダデバイス１０２、１０４は、検出デバイスとデータをワイヤレスで通信するように構成される、請求項１または２に記載のラミネートガラス１００。
【請求項１８】
前記検出デバイスは、無線周波数（ＲＦ）リーダ、ハンドヘルドデバイス、モバイルデバイス、携帯電話、車両キー、およびタブレットのうちの少なくとも１つである、請求項１７に記載のラミネートガラス１００。
【請求項１９】
前記無線周波数（ＲＦ）リーダは、前記車両のフロントガラス、車体フレーム、およびダッシュボード領域のうちの少なくとも１つに実装される、請求項１８に記載のラミネートガラス１００。
【請求項２０】
前記データトランスポンダデバイスによって前記検出デバイスとワイヤレスで通信される前記データは、車両識別番号（ＶＩＮ）、自動車両登録状況、自動車両検査状況、保険コンプライアンス状況、誘拐事件速報システム、排出コンプライアンス状況、速度、通行料金アカウント情報、全地球測位システム（ＧＰＳ）データ、位置状況、自動車両セキュリティ／検索状況、車両登記データ、センサデータ、安全認証データ、排出制御認証データ、連絡先情報、製品識別番号、盗難防止システム、ドアの施錠・開錠、電源投入ならびにエンジン始動および停止制御、インターネット端末への接続開始、Ｗｉ−Ｆｉモジュールとの通信開始、外部要因に基づいたモバイルデバイスのモード変更、電子デバイスのスイッチオン／オフ、または、これらの組合せのうちの少なくとも１つを備える、請求項１７に記載のラミネートガラス１００。
【請求項２１】
前記データトランスポンダデバイス１０２、１０４は、前記検出デバイスによってワイヤレスで動作させられ、電力供給される、請求項１７に記載のラミネートガラス１００。
【請求項２２】
前記集積回路１０２ｂ、１０４ｂは、変調器と、前記データトランスポンダデバイス１０２、１０４に電力を供給するための光電池とを備える、請求項１または２に記載のラミネートガラス１００。
【請求項２３】
前記中間層１００ｃの前記厚さは、均一であり、または非均一である、請求項１または２に記載のラミネートガラス１００。
【請求項２４】
前記中間層１００ｃは、少なくとも１つのデータトランスポンダデバイス１０２、１０４を収容するように変形される、請求項１または２に記載のラミネートガラス１００。
【請求項２５】
前記中間層１００ｃは、切断、押圧、研削、加熱、または、これらの組合せから成る群から選択される方法によって変形される、請求項２４に記載のラミネートガラス１００。
【請求項２６】
前記データトランスポンダデバイス１０２、１０４は、５０μｍから５００μｍの範囲における厚さを有する、請求項１または２に記載のラミネートガラス１００。
【請求項２７】
前記データトランスポンダデバイス１０２、１０４は、可撓性要素または剛性要素のうちの少なくとも一方である、請求項１または２に記載のラミネートガラス１００。
【請求項２８】
前記データトランスポンダデバイス１０２、１０４は、金属、導電性ポリマー、金属グリッド、カーボンナノチューブ（ＣＮＴ）層、グラフェン、および透明な導電性酸化物から成る群から選択される材料で形成される、請求項１または２に記載のラミネートガラス１００。
【請求項２９】
前記データトランスポンダデバイス１０２、１０４は、能動的なＲＦＩＤタグ、受動的なＲＦＩＤタグおよび半受動的なＲＦＩＤタグのうちの少なくとも１つを含む、請求項１または２に記載のラミネートガラス１００。
【請求項３０】
前記データトランスポンダデバイス１０２、１０４は、近距離無線通信（ＮＦＣ）デバイス１０２および／または無線周波数識別（ＲＦＩＤ）タグ１０４である、請求項１または２に記載のラミネートガラス１００。
【請求項３１】
前記データトランスポンダデバイス１０２、１０４は、印刷、堆積または他の適切な方法によって前記ラミネートガラス１００に一体化される、請求項１または２に記載のラミネートガラス１００。
【請求項３２】
前記集積回路１０２ｂ、１０４ｂは、メモリを備える、請求項１または２に記載のラミネートガラス１００。
【請求項３３】
前記メモリは、予め定義された情報が記憶された読み出し専用エリアと、ユーザによって構成可能な読み出し・書き込み部分とを含む、請求項３２に記載のラミネートガラス１００。
【請求項３４】
前記アンテナ１０２ａは、１３．６ＭＨｚの周波数で動作するように構成されたＮＦＣアンテナである、請求項１または２に記載のラミネートガラス１００。
【請求項３５】
前記アンテナ１０２ａは、３キロヘルツ（ｋＨｚ）から１０ギガヘルツ（ＧＨｚ）の間の周波数範囲において動作するように構成された高周波アンテナである、請求項１または２に記載のラミネートガラス１００。
【請求項３６】
車両に取り付けるために構成される、請求項１または２に記載のラミネートガラス１００。
【請求項３７】
自動車のフロントガラス、風よけおよび／またはサンルーフである、請求項１または２に記載のラミネートガラス１００。
【請求項３８】
請求項１に記載のラミネートガラス１００を製造する方法であって、前記方法は、
積層された組立体を形成するために、第１の基板１００ａおよび第２の基板１００ｂを、予め定義された位置における１つまたは複数のデータトランスポンダデバイス１０２、１０４と共に、１つまたは複数の中間層１００ｃに対して取り付けるステップと、
データトランスポンダデバイスのサイズ、数およびタイプに基づいて、前記積層された組立体を脱気するステップと、
前記データトランスポンダデバイス１０２、１０４が一体化されたラミネートガラス１００を形成するために、複数の圧力値と温度値とを含む連続する時間ステップにおいて前記脱気された積層された組立体を加圧滅菌するステップと
を備える、方法。
【発明の詳細な説明】
【技術分野】
【０００１】
本開示は、一般に、１つまたは複数のデータトランスポンダが埋め込まれた車両のラミネートガラスに関し、より詳細には、過酷な気象条件においてデータトランスポンダのより良好な可読性性能を備えるラミネートガラスに関する。
【背景技術】
【０００２】
[0001]背景説明は、本開示を理解する際に役立ち得る情報を含む。背景説明は、本明細書において提供される情報のいずれかが本願において特許請求される発明の先行技術である、もしくは当該発明に関連するという自認、または、具体的にもしくは黙示的に参照されるいずれかの刊行物が先行技術であるという自認ではない。
【０００３】
[0002]現在、ＲＦＩＤタグおよびＮＦＣタグは、ステッカーの形態で車両のフロントガラス上に提供され、車両に関連するデータまたは情報を記憶するためのデータ記憶デバイスとして使用されている。
【０００４】
[0003]しかしながら、これらのＲＦＩＤステッカーまたはＮＦＣステッカーは、いくつかの制限を伴う。例えば、これらのステッカーは、劣化、風化、盗難、または風、雨、もしくは破壊行為などの外部要因からもたらされる損傷に起因して、簡単に除去され、改ざんされることがある。さらに、データトランスポンダを有するこれらのステッカーは、いったん車両のフロントガラスから剥がされると、接着させることが非常に困難である。したがって、これらのステッカーが無駄になってしまう。他の制限は、アンテナの耐久性であり、この耐久性は、ある期間にわたって可読性の観点で低下する傾向を有する。結果として、車両操縦者は、期限切れのステッカーを新しいステッカーと周期的に交換し、または期限切れのステッカーを新しいステッカーで周期的に覆わなければならない。自動車のガラスからステッカーの接着剤または粘着性の残留物もしくは残りを除去することは困難であるので、期限切れのステッカーを除去する困難さも欠点である。
【０００５】
[0004]Ｍａｙｓらの米国特許第６，２７５，１５７号は、ガラスパネルに少なくとも部分的に埋め込まれた、ガラスパネルとＲＦＩＤデバイスとを備えるデータトランスポンダを開示している。一実施形態において、ＲＦＩＤデバイスは、隣接するガラス層の間に配設され、ガラス層が共に積層されると、ガラス層の間に埋め込まれた状態になる。
【０００６】
[0005]上述された先行技術は、主に、ＲＦＩＤトランスポンダ／デバイスをガラスパネル上に一体化することを目的とする。米国特許’１５７号は、ＲＦＩＤデバイスに関連付けられた加熱要素を開示しておらず、ＮＦＣデバイスも開示していない。これに加えて、この先行技術には多くの著しい欠点がある。第一に、’１５７号は、気温が摂氏０度をはるかに下回る、より寒冷な気象条件などの厳しい条件において、データトランスポンダの耐久性およびデータ可読性を改善することに対処していない。さらに、上述された先行技術は、ラミネートガラス内にデータトランスポンダを配置するための理想的な位置を提供していない。
【０００７】
[0006]結果として、過酷な気象条件において、向上された耐久性およびデータ可読性性能を有するデータトランスポンダデバイスをフロントガラスに提供することは望ましいであろう。本開示は、データトランスポンダの耐久性およびこれらのトランスポンダのデータ可読性を、これらのデータトランスポンダに、およびこれらのデータトランスポンダに近い領域の周囲に、加熱要素を一体化することによって強化する効果的な手法を提供する。
【発明の概要】
【０００８】
[0007]本開示の他の特徴および態様は、下記の説明および添付の図面から明らかになるであろう。本開示は、外面と内面とから成る第１の基板１００ａと、第１の基板１００ａの内面上に配設される１つまたは複数の中間層１００ｃとを備えるラミネートガラス１００を提供する。第２の基板１００ｂは、中間層１００ｃ上に配設される。少なくとも１つのデータトランスポンダデバイス１０２、１０４は、１つまたは複数の中間層１００ｃ上に配設されるアンテナ１０２ａ、１０４ａと集積回路１０２ｂ、１０４ｂとを備え、１つまたは複数の中間層１００ｃは、第１基板１００ａと第２の基板１００ｂとの間に配置される。
【０００９】
[0008]本開示は、外面と内面とから成る第１の基板１００ａと、第１の基板１００ａの内面上に配設される１つまたは複数の中間層１００ｃとを備えるラミネートガラス１００をさらに提供する。第２の基板１００ｂは、外面と内面とから成り、中間層１００ｃ上に配設される。少なくとも１つのデータトランスポンダデバイス１０２、１０４は、１つまたは複数の中間層１００ｃ上に配設されるアンテナ１０２ａ、１０４ａと集積回路１０２ｂ、１０４ｂとを備え、１つまたは複数の中間層１００ｃは、第１の基板１００ａと第２の基板１００ｂとの間に配置される。１つまたは複数の加熱要素１０６は、第１の基板１００ａと第２の基板１００ｂとの間に提供され、加熱要素１０６は、データトランスポンダデバイス１０２、１０４において予め定義された距離でデータトランスポンダデバイス１０２、１０４の周囲に位置決めされる。
【００１０】
[0009]積層された組立体を形成するために、第１の基板１００ａおよび第２の基板１００ｂを、予め定義された位置における１つまたは複数のデータトランスポンダデバイス１０２、１０４と共に、１つまたは複数の中間層１００ｃに対して取り付けるステップ１０１０を備える、ラミネートガラス１００を製造する方法が提供される。このステップの後に、データトランスポンダデバイスのサイズ、数およびタイプに基づいて、積層された組立体を脱気する１０２０。その後、データトランスポンダデバイス１０２、１０４が一体化されたラミネートガラス１００を形成するために、複数の圧力値と温度値とを含む連続する時間ステップにおいて、脱気された積層された組立体を加圧滅菌する１０３０。
【００１１】
[0010]実施形態は、実施例として示され、添付の図面に限定されない。
【図面の簡単な説明】
【００１２】
【図１】[0011]本開示に係るラミネートガラスの平面図。
【図２】[0012]本開示の一実施形態に係るラミネートガラスの断面図。
【図３】[0013]本開示の一実施形態に係るラミネートガラスの分解図。
【図４】[0014]本開示に係るラミネートガラスの平面図。
【図５】[0015]本開示の一実施形態に係るラミネートガラスについての断面図。
【図６】[0016]本開示の一実施形態に係るラミネートガラスの分解図。
【図７】[0017]本開示の一実施形態に係る、セラミックマスキング領域においてデータトランスポンダデバイスに統合されたラミネートガラスの平面図。
【図８】[0018]本開示の一実施形態に係る、ＵＶ保護層が提供されたラミネートガラスの断面図。
【図９】[0019]本開示の一実施形態に係る、アクセス遮蔽層が提供されたラミネートガラスの断面図。
【図１０】[0020]本開示の一実施形態に係る、自動車のためのラミネートガラスを製造する方法のフローチャート。
【発明を実施するための形態】
【００１３】
[0021]当業者は、図内の要素が単純さおよび明瞭さのために示されており、必ずしも縮尺通りに描かれているとは限らないことを認識する。例えば、図内の要素のうちのいくつかの寸法は、本発明の実施形態の理解を改善するのに役立つように、他の要素に対して誇張されていることがある。
【００１４】
[0022]ここで、本出願に添付の図面を参照しつつ、本発明が、より詳細に論じられる。添付の図面において、同様の要素および／または対応する要素は、同様の参照符号によって参照される。
【００１５】
[0023]可能な限り、同じ部分または同様の部分を参照するために、同じ参照符号が図面全体を通じて使用されるであろう。本開示は、通常の機能に加えて、他の機能を組み込んだ、改善された自動車ガラスを提供するべきものである。本開示は、１つまたは複数のデータトランスポンダ、および、より詳細には、過酷な気象条件におけるデータトランスポンダのより良好な可読性性能を備えたラミネートガラスが埋め込まれた、改善された自動車ガラスをさらに提供する。
【００１６】
[0024]図１は、データトランスポンダデバイスが埋め込まれた、本開示のラミネートガラス１００を示す。一実施形態において、データトランスポンダデバイスは、近距離無線通信（ＮＦＣ）デバイス１０２である。
【００１７】
[0025]図２は、ラミネートガラス１００の断面図を示す。一実施形態において、第１の基板１００ａおよび第２の基板１００ｂの一方または両方は、ガラスまたはポリマーである。ポリマーは、ポリカーボネート（ＰＣ）またはポリプロピレン（ＰＰ）である。第１の基板１００ａおよび第２の基板１００ｂの一方または両方は、平坦であり、湾曲しており、楔形であり（ｗｅｄｇｅｄ）、または起伏付き（ｃｏｎｔｏｕｒｅｄ）であるなどの様々な形状とすることができる。任意選択で、少なくとも第１の基板１００ａ、第２の基板１００ｂ、または第１の基板１００ａと第２の基板１００ｂの両方は、化学的にまたは熱的に強化されてもよい。第１の基板１００ａ、第２の基板１００ｂ、または第１の基板１００ａと第２の基板１００ｂの両方は、少なくとも０．５ｍｍの厚さを有し得る。積層された組立体を形成するために、１つまたは複数の中間層１００ｃが、第１の基板１００ａと第２の基板１００ｂとの間に提供される。ＮＦＣデバイス１０２は、第１の基板１００ａ、第２の基板１００ｂ、または１つもしくは複数の中間層１００ｃの間に一体化される。
【００１８】
[0026]一実施形態において、１つまたは複数の中間層１００ｃは、同じまたは異なる機械的特性および化学的特性を有するポリマーで構成されてもよい。１つまたは複数の中間層１００ｃは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタン（ＴＰＵ）、アイオノマー、熱可塑性材料、ポリブチレンテレフタレート（ＰＢＴ）、ポリエチレン酢酸ビニル（ＰＥＴ）、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、および、これらの組合せから成る群から選択されたポリマーを備える。
【００１９】
[0027]中間層１００ｃは、全体を通じて均一な厚さを有するか、または非均一な厚さのいずれかを有する。中間層１００ｃは、少なくとも０．３８ｍｍの厚さを有し得る。任意選択で、中間層１００ｃは、ＮＦＣデバイス１０２およびＲＦＩＤタグ１０４などの、１つまたは複数のデータトランスポンダを収容するように変形される。
【００２０】
[0028]一般に、中間層１００ｃは、ラミネートガラス１００内に、より厚いデータトランスポンダを取り付けるために変形される。中間層１００ｃは、切断、押圧、研削、加熱、または、これらの組合せのいずれかによって変形される。中間層１００ｃの切断は、切断治具によって手動でまたは自動的に行われる。中間層１００ｃの研削は、電気的にまたは空気圧で動作させられる研削砥石またはペンシルグラインダーによって行われる。さらに、中間層１００ｃは、加熱によって変形され得る。これにおいて、データトランスポンダは、物理的圧力によって、および規定された温度でスタンピングが行われるホットスタンピングツールによって、中間層１００ｃ上に配設される。いくつかの例において、加熱方法による中間層１００ｃの変形は、中間層１００ｃとデータトランスポンダ１０２との間ではるかに高い接合を確保するために、ホットスタンピングと共にデータトランスポンダ１０２において接着剤裏地を有することによっても行われる。
【００２１】
[0029]図３は、ラミネートガラス１００の分解図を示す。ラミネートガラス１００は、第１の基板１００ａと、第２の基板１００ｂと、２つの中間層１００ｃと、ＮＦＣデバイス１０２とを備える。中間層１００ｃは、第１の基板１００ａの内面上に提供される。中間層１００ｃは、それぞれ第１の基板１００ａおよび第２の基板１００ｂの中間にある。
【００２２】
[0030]図３は、アンテナ１０２ａと集積回路１０２ｂとから構成されるＮＦＣデバイス１０２をさらに示す。一実施形態において、ＮＦＣデバイス１０２およびＲＦＩＤタグ１０４（図示せずなどのデータトランスポンダデバイスは、第１の基板１００ａと第２の基板１００ｂとの間に配設され、または第１の基板１００ａおよび第２の基板１００ｂのうちの一方もしくは両方と一体化され、または１つもしくは複数の中間層１００ｃ間に配設され、または１つもしくは複数の中間層１００ｃと一体化される。データトランスポンダデバイス１０２、１０４は、中間層１００ｃの厚さの少なくとも５％の厚さを有する。より具体的には、データトランスポンダデバイス１０２、１０４は、少なくとも５０μｍから５００μｍの厚さを有してもよい。
【００２３】
[0031]ＮＦＣデバイス１０２およびＲＦＩＤタグ１０４の動作周波数は、３キロヘルツ（ｋＨｚ）から１０ギガヘルツ（ＧＨｚ）に及ぶ。データトランスポンダデバイス１０２、１０４は、受動的または能動的のいずれかである。受動的なデータトランスポンダは電源を必要としないのに対して、能動的であるデータトランスポンダは電源を必要とする。送電および通信はワイヤレスである。
【００２４】
[0032]データトランスポンダデバイス１０２、１０４は、金属、導電性ポリマー、金属グリッド、カーボンナノチューブ（ＣＮＴ）層、グラフェン、透明な導電性酸化物または導電性酸化物から成る群から選択される材料を備える。金属は、銅、アルミニウム、銀またはプラチナから成る群から選択される。透明な導電性酸化物は、酸化亜鉛またはインジウムスズ酸化物から成る群から選択される。導電性ポリマーは、ポリアニリンまたはポリインドールから成る群から選択される。
【００２５】
[0033]データトランスポンダ１０２、１０４は、基板と、アンテナと、チップと、オーバーレイとから成る層のスタックから構成され、基板およびオーバーレイは、ガラスまたはポリマーで構成され、ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタンおよび／もしくはポリ塩化ビニルおよび／もしくはポリエステルおよび／もしくは（ＴＰＵ）、アイオノマー、熱可塑性材料、ポリブチレンテレフタレート（ＰＢＴ）、ポリエチレン酢酸ビニル（ＰＥＴ）および／もしくはポリカーボネートおよび／もしくはポリプロピレンおよび／もしくはポリエチレンおよび／もしくはポリウレタンアクリレート、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメタクリル酸メチル（ＰＭＭＡ）、ポリウレタン（ＰＵＲ）、または、これらの組合せから成る群から選択される。
【００２６】
[0034]データトランスポンダデバイス１０２、１０４は、印刷、堆積、またはパッチングによってラミネートガラス１００に一体化される。データトランスポンダデバイス１０２、１０４は、複数の層を互いの上にスクリーン印刷することによって、第１の基板１００ａもしくは第２の基板１００ｂまたは中間層１００ｃ上に直接印刷され得る。データトランスポンダデバイス１０２、１０４は、物理蒸着コーティングまたは化学蒸着コーティングのいずれかによって、第１の基板１００ａまたは第２の基板１００ｂ上に直接堆積されることも可能である。いくつかの例において、データトランスポンダデバイス１０２、１０４は、第１の基板１００ａもしくは第２の基板１００ｂのいずれかの上、または中間層１００ｃ上に、接着剤によって任意選択で固定され得る別個の薄膜パッチとすることができる。
【００２７】
[0035]任意選択で、データトランスポンダデバイス１０２、１０４は、ラミネートガラス１００への一体化中に硬化される。データトランスポンダデバイス１０２、１０４の硬化は、赤外線または紫外線によって行われ得る。
【００２８】
[0036]一実施形態において、データトランスポンダデバイス１０２、１０４は、アンテナ１０２ａ、１０４ａと、集積回路１０２ｂ、１０４ｂとから構成される。アンテナ１０２ａ、１０４ａと集積回路１０２ｂ、１０４ｂとは共に結合される。アンテナ１０２ａ、１０４ａは、信号を受信および送信するためのものである。集積回路１０２ｂ、１０４ｂは、情報を処理するためのものである。集積回路１０２ｂ、１０４ｂは、メモリから構成される。メモリは、読み出し専用部分と、書換え可能な部分とから成る。読み出し専用部分は、変更されることができないデータを記憶し、書換え可能な部分は、変更されることができるデータを記憶する。集積回路１０２ｂ、１０４ｂは、チップの形態である。
【００２９】
[0037]図４は、ＮＦＣデバイス１０２と、無線周波数識別（ＲＦＩＤ）タグ１０４とから構成される、本明細書における車両のためのラミネートガラス１００を示す。ラミネートガラス１００には、ＮＦＣデバイス１０２およびＲＦＩＤタグ１０４などの、埋め込み式データトランスポンダが提供されている。加熱要素１０６は、データトランスポンダのアンテナ１０２ａおよび１０２ｂの周囲の領域を迅速に加熱するために、埋め込み式ＮＦＣデバイス１０２およびＲＦＩＤタグ１０４の周囲に間隔を空けて置かれる。典型的には、特定の領域の周囲の迅速な加熱を提供する加熱要素１０６は、電気を伝えるための金属から作製される。加熱要素１０６は、ステッカーであり、または導電性インクによりスクリーン印刷される。一実施形態において、加熱要素１０６は、ラミネートガラス１００の基板１００ａと基板１００ｂとの間に組み込まれ、より具体的には、加熱要素１０６は、中間層１００ｃ上に、または内面上に提供される。ＮＦＣデバイス１０２およびＲＦＩＤタグ１０４などのデータトランスポンダの可読性は、曇り、凍結等などのいくつかの外部環境要因に起因して影響され、加熱要素１０６を有することによって、より寒冷な条件におけるデータトランスポンダの性能が改善される。
【００３０】
[0038]図５は、ラミネートガラス１００の断面図を示す。第１の基板１００ａと第２の基板１００ｂのうちの一方または両方は、ガラスまたはポリマーである。積層された組立体を形成するために、１つまたは複数の中間層１００ｃは、第１の基板１００ａと第２の基板１００ｂとの間に提供される。データトランスポンダデバイス１０２および１０４は、第１の基板１００ａ、第２の基板１００ｂ、または１つもしくは複数の中間層１００ｃの間で一体化される。
【００３１】
[0039]図６は、ラミネートガラス１００の分解図を示す。ラミネートガラス１００は、第１の基板１００ａと、第２の基板１００ｂと、２つの中間層１００ｃと、ＮＦＣデバイス１０２および／またはＲＦＩＤタグ１０４などのデータトランスポンダとを備える。中間層１００ｃは、第１の基板１００ａの内面上に提供される。中間層１００ｃは、それぞれ第１の基板１００ａおよび第２の基板１００ｂの中間にある。ＮＦＣデバイス１０２は、アンテナ１０２ａと、集積回路１０２ｂとから構成される。ＲＦＩＤタグ１０４は、アンテナ１０４ａと、集積回路１０４ｂとから構成される。加熱要素１０６は、それぞれ第１の基板１００ａと第２の基板１００ｂとの間に提供され、アンテナ１０２ａおよび１０４ａをそれぞれ迅速に加熱するために、ＮＦＣデバイス１０２およびＲＦＩＤタグ１０４などのデータトランスポンダデバイスの周囲にそれぞれ間隔を空けて置かれる。
【００３２】
[0040]一実施形態において、データトランスポンダデバイス１０２、１０４は、車両識別番号（ＶＩＮ）、自動車両登録状況、自動車両検査状況、保険コンプライアンス状況、誘拐事件速報システム（Ａｍｂｅｒ  Ａｌｅｒｔ）、排出コンプライアンス状況、速度、通行料金アカウント情報、全地球測位システム（ＧＰＳ）データ、位置状況、自動車両セキュリティ／検索状況、車両登記データ、センサデータ、安全認証データ、排出制御認証データ、連絡先情報、製品識別番号、盗難防止システム、ドアの施錠・開錠、電源投入ならびにエンジン始動および停止制御、インターネット端末への接続開始、Ｗｉ−Ｆｉモジュールとの通信開始、外部要因に基づいたモバイルデバイスのモード変更、電子デバイスのスイッチオン／オフを含むが、これらに限定されないデータを提供するように適合される。
【００３３】
[0041]代替的実施形態において、ラミネートガラス１００とのデータトランスポンダデバイス１０２、１０４の一体化は、それを日照調整フィルムと共に配置することによって行われ得る。フィルムは、ラミネートガラスの外表面または内表面に実装されることが可能であり、ラミネートガラス１００内でのデータトランスポンダデバイス１０２、１０４の無傷を確保するように、ラミネートガラス１００に埋め込まれるデータトランスポンダデバイス１０２、１０４をフィルムが覆うことができるような手法で配置されることが可能である。
【００３４】
[0042]一実施形態において、金属ベースコーティングされたラミネートガラス内のデータトランスポンダデバイス１０２、１０４のためのゾーン分離が提供される。データトランスポンダデバイス１０２、１０４の可読性は、データトランスポンダデバイス１０２、１０４が金属部分上に存在する場合に著しく影響される。可読性の問題を回避するために、データトランスポンダデバイス１０２、１０４を金属面から遠ざけて配置することが常に望ましい。ラミネートガラス１００が、金属酸化物コーティングによりコーティングされる場合、上に置かれるデータトランスポンダデバイス１０２、１０４は、可読性に関して問題を有することがある。この問題を回避するために、データトランスポンダデバイス１０２、１０４に対する局所的な分離が行われてきた。データトランスポンダデバイス１０２、１０４に対して分離を提供するための理想的な位置は、車両の金属製本体から遠ざけて配置されるミラーボタン領域である。データトランスポンダデバイス１０２、１０４が配置され得る２つのゾーンが存在する。一方の領域は、可視領域であり、他方の領域は、セラミックマスキング領域７１０の後ろの不可視領域である。セラミックマスキング領域７１０にデータトランスポンダデバイス１０２、１０４を埋め込むことの利点は、紫外線に対する保護を提供することである。図７は、セラミックマスキング領域７１０においてデータトランスポンダデバイス１０２が一体化されたラミネートガラスの平面図を示しており、セラミックマスキング領域７１０は、データトランスポンダデバイス１０２に紫外線保護を提供するためにフロントガラスの境界領域に位置決めされる。
【００３５】
[0043]図８は、アクリル酸ウレタンベースのコーティング、二酸化チタン（Ｔｉｏ２）、酸化亜鉛（ＺｎＯ）ナノ粒子が埋め込まれたアクリルコーティング、フッ化アルミニウム（ＡｌＦ３）、ヘキサフルオロアルミン酸ナトリウム（ＮＡ３ＡｌＦ６）、フッ化マグネシウム（ＭｇＦ２）、三フッ化ランタン（ＬＡＦ３）、フッ化ガドリニウム（ＧｄＦ３）、または、これらの組合せから成る群から選択された添加剤を有するエポキシ樹脂を備えるデータトランスポンダデバイス１０２、１０４に紫外線保護を提供するために、ＵＶ保護層８１０が提供されるラミネートガラスの断面図を示す。
【００３６】
[0044]図９は、アクセス遮蔽層９１０および検出デバイスの位置および構成に応じて、車両の外部／内部からデータトランスポンダデバイス１０２、１０４の選択的な読み取りを提供するために、本開示の一実施形態に係るアクセス遮蔽層９１０が提供されるラミネートガラスの断面図を示す。このアクセス遮蔽層９１０は、トランスポンダデバイス１０２、１０４の選択的な読み取りを提供するために電波を反射または吸収することができる材料から構成される。第１または第２の基板１００ａ／１００ｂのうちの１つからのデータトランスポンダデバイス１０２、１０４へのアクセシビリティは、許可されたユーザのみがデータトランスポンダデバイス１０２、１０４にアクセスすることができるように、妨げられ得る。データトランスポンダ１０２、１０４のアクセシビリティは、情報プライバシーを維持するために妨げられる。
【００３７】
[0045]図１０は、データトランスポンダが埋め込まれた車両において使用されるラミネートガラスを製造する方法のフローチャートを示す。ステップ１０１０は、組立体を形成するために、第１の基板１００ａおよび第２の基板１００ｂを、１つまたは複数の中間層１００ｃおよびデータトランスポンダ１０２、１０４に取り付けることを含む。取り付けるステップは、ラミネートガラスプレーンの積層、接着結合、配置、および完成から成る群から選択される。ステップ１０２０は、脱気された組立体を形成するために組立体を脱気することを含む。脱気することは、積層された湾曲した物品の形成における重要なステップである。組立体は、真空下で維持され、組立体の間に閉じ込められた空気を除去するために加熱処理される。脱気処理中に、コネクタ素子と共に基板、中間層およびデータトランスポンダデバイスの間に封入された空気は、予備接着を生み出すために除去される。脱気は、組立体のエッジ全体を密閉するゴムリングを有することによって行われる。このリングは、実際の組立体外周の９５％に設計されており、コネクタ素子が部分的に延在された部分である場合に適応するようにさらに設計されている。吸引は、組立体の間に封入された空気を除去することによって起こる。リングは、１本の出口ホースを有しており、この出口ホースを通じて、空気が除去される。脱気するステップの後、組立体は実質的に透明である。組立体に曇りがある場合、それは組立体の間に空気が閉じ込められていることを意味する。代替として、中間層１００ｃには、脱気処理中に揮発物が逃げるための孔（ピンホール）が提供される。ステップ１０３０は、データトランスポンダ１０２、１０４が一体化されたラミネートガラスを形成するために、脱気された組立体を加圧滅菌する。
【００３８】
実施例
[0046]読み取り範囲、可読性カウント、ラミネートガラス内のデータトランスポンダの位置およびデータ整合性に対する影響を検討するために、データトランスポンダが埋め込まれたラミネートガラスサンプルに対して標準試験が実行された。読み取り範囲は、検出器によってデータトランスポンダを検出するための最大距離として定義される。可読性カウントは、１分間にタグが検出器に応答した回数として定義される。ラミネートガラス内のデータトランスポンダの位置は、積層物におけるデータトランスポンダの配置として定義される。データ整合性チェックは、データトランスポンダにおいて情報が失われたという決定として定義される。
【００３９】
実施例１：記憶安定性試験
[0047]データトランスポンダが埋め込まれたラミネートガラスサンプルは、２４時間の間、摂氏８０度に維持され、読み取り範囲、可読性カウント、ラミネートガラス内のデータトランスポンダの位置およびデータ整合性に対する影響がチェックされた。表１は、このサンプルが２４時間の間、摂氏８０度に維持された後にチェックされた様々なパラメータを示す。
【００４０】
【表１】
2020523681.tif 000003
【００４１】
記憶安定性試験（表１）からの結果は、データトランスポンダデバイスがラミネートガラスの２つの中間層の間に埋め込まれた場合に、可読性がより高いことを示した。これに加えて、データトランスポンダデバイスが第１の基板の内面上に埋め込まれた場合、より高いデータ可読性が達成された。
【００４２】
実施例２：耐熱性試験
[0048]データトランスポンダが埋め込まれたラミネートガラスサンプルは、４００時間の間、摂氏１００度に維持され、読み取り範囲、可読性カウント、ラミネートガラス内のデータトランスポンダの位置およびデータ整合性に対する影響がチェックされた。表２は、このサンプルが４００時間の間、摂氏１００度に維持された後にチェックされた様々なパラメータを示す。
【００４３】
【表２】
2020523681.tif 000004
【００４４】
耐熱性試験（表２）からの結果は、データトランスポンダデバイスがラミネートガラスの２つの中間層の間に埋め込まれた場合、可読性がより高いことを示した。これに加えて、データトランスポンダデバイスが第２の基板の内面上に埋め込まれた場合、より高いデータ可読性が達成された。
【００４５】
実施例３：熱サイクル耐性検査
[0049]データトランスポンダが埋め込まれたラミネートガラスサンプルは、以下の条件、第１に、２時間の間、摂氏３０度で、第２に、３０分の間、室温で、第３に、２時間の間、摂氏１００度で、最後に、３０分の間、室温で維持された。読み取り範囲、可読性カウント、ラミネートガラス内のデータトランスポンダの位置およびデータ整合性に対する影響が、このサンプルについてチェックされた。表３は、このサンプルが上述された条件にさらされた後にチェックされた様々なパラメータを示す。
【００４６】
【表３】
2020523681.tif 000005
【００４７】
熱サイクル耐性検査（表３）からの結果は、データトランスポンダデバイスがラミネートガラスの第１の基板の内面上に埋め込まれた場合、可読性がより高いことを示した。これに加えて、データトランスポンダデバイスが第２の基板の内面上に埋め込まれた場合、２つの中間層の間で埋め込まれるよりも、非常に高いデータ可読性が達成された。
【００４８】
実施例４：高輝度耐性試験
[0050]データトランスポンダが埋め込まれたラミネートガラスサンプルは、２７００時間の間、６５Ｗ／ｍ2の太陽フルスペクトルにより照射され、読み取り範囲、可読性カウント、ラミネートガラス内のデータトランスポンダの位置およびデータ整合性に対する影響が、このサンプルについてチェックされた。表４は、このサンプルが２７００時間の間、６５Ｗ／ｍ2で照射された後にチェックされた様々なパラメータを示す。
【００４９】
【表４】
2020523681.tif 000006
【００５０】
高輝度耐性試験（表４）からの結果は、データトランスポンダデバイスがラミネートガラスの第２の基板の内面上に埋め込まれた場合、可読性がより高いことを示した。これに加えて、データトランスポンダデバイスが２つの中間層の間に埋め込まれた場合、より高いデータ可読性が達成された。
【００５１】
実施例５：長期信頼性試験
[0051]データトランスポンダが埋め込まれたラミネートガラスサンプルは、１５週間の間、摂氏６５度の温度および相対湿度９５％で環境チャンバ内に維持され、読み取り範囲、可読性カウント、ラミネートガラス内のデータトランスポンダの位置およびデータ整合性に対する影響が、このサンプルについてチェックされた。表４は、このサンプルが１５週間の間、摂氏６５度の温度および相対湿度９５％で維持された後にチェックされた様々なパラメータを示す。
【００５２】
【表５】
2020523681.tif 000007
【００５３】
長期信頼性試験（表５）からの結果は、データトランスポンダデバイスがラミネートガラスの２つの中間層の間に埋め込まれた場合、可読性がより高いことを示した。これに加えて、データトランスポンダデバイスが第２の基板の内面上に埋め込まれた場合、より高いデータ可読性が達成された。
上記の結果から、最良の可読性を達成するためには、データトランスポンダがラミネートガラス１００の第１の基板の内面上に埋め込まれるべきであることが立証された。
【００５４】
産業上の利用分野
[0052]本開示のラミネートガラスは、建物またはフロントガラスに実装され得るラミネートガラス板、自動車両に実装され得る風よけまたはサンルーフまたは自動車ガラスである。
【００５５】
[0053]上述した基本的な構造によれば、本発明の自動車ガラスシステムは、特許請求される保護の範囲から逸脱することなく、材料、寸法、構造上の詳細ならびに／または機能上および／もしくは装飾上の構成における変更の対象となり得る。
【００５６】
[0054]一般的な説明または実施例において上述したアクティビティの全部が必要とされるとは限らないこと、特定のアクティビティの一部は必要とされなくてもよいこと、および、説明されたアクティビティに加えて、１つまたは複数のさらなるアクティビティが実行されてもよいことに留意されたい。またさらに、アクティビティが列挙されている順序は、必ずしもそれらが実行される順序とは限らない。
【００５７】
[0055]利益、他の利点、および問題に対する解決策が、特定の実施形態に関して上記に説明されてきた。ただし、利益、利点、問題に対する解決策、および任意の利益、利点、または解決策を生じさせ、またはより顕著にさせ得るいかなる特徴も、特許請求の範囲のいずれかまたは全部の重要な特徴、必要とされる特徴、または必須の特徴として解釈されるべきではない。
【００５８】
[0056]本明細書において説明される実施形態の仕様および例証は、様々な実施形態の構造の一般的な理解を提供するように意図されている。仕様および例証は、本明細書において説明される構造または方法を使用する装置およびシステムの要素および特徴の全部の網羅的および包括的な説明として役立つようには意図されていない。別個の実施形態の文脈で本明細書において説明される、明瞭さのための一定の特徴は、単一の実施形態において組み合わされて提供されてもよい。反対に、単一の実施形態の文脈で説明される、簡潔さのための様々な特徴も、別々に提供されても、またはサブ組合せにおいて提供されてもよい。さらに、範囲で述べられた値への参照は、その範囲内のありとあらゆる値を含む。本明細書を読んで初めて、多くの他の実施形態が当業者にとって明らかになり得る。構造的置換、論理的置換、または別の変更が、本開示の範囲から逸脱することなく行われ得るように、他の実施形態が使用され、本開示から導かれ得る。したがって、本開示は、限定的であるというよりもむしろ例示的であるとみなされるべきである。
【００５９】
[0057]図と組み合わされた説明は、本明細書において開示される教示を理解するのを支援するために提供され、教示を説明するのを支援するために提供されており、教示の範囲または適用可能性に対する限定として解釈されるべきでない。しかしながら、他の教示が本出願においてもちろん使用されてもよい。
【００６０】
[0058]本明細書において使用される場合、「備える」、「備えること」、「含む」、「含むこと」、「有する」、「有すること」という用語、または、これらの任意の他のバリエーションは、非排他的な包含を網羅するように意図されている。例えば、特徴のリストを備える方法、物品、または装置は、必ずしもそれらの特徴のみに限定されるとは限らないが、明示的に列挙されていない、またはそのような方法、物品、もしくは装置に固有ではない、他の特徴を含んでもよい。さらに、別段の明示的な記述がない限り、「または」は包含的ｏｒを指し、排他的ｏｒを指さない。例えば、条件ＡまたはＢは、下記のうちのいずれか１つによって満たされる：Ａが真であり（または存在し）Ｂは偽である（または存在しない）、Ａは偽であり（または存在せず）Ｂは真である（または存在する）、ＡとＢの両方が真である（または存在する）。
【００６１】
[0059]また、「ある」または「１つの」の使用は、本明細書において説明される要素および構成要素を説明するために採用される。これは単に便宜のために、および本発明の範囲の一般的な意味を与えるために行われている。この説明は、１つまたは少なくとも１つを含むように読まれるべきであり、それ以外を意味することが明らかでない限り、単数は複数も含み、またはその逆も同様である。例えば、単一のアイテムが本明細書において説明される場合、１つを超えるアイテムが単一のアイテムの代わりに使用されてもよい。同様に、１つを超えるアイテムが本明細書において説明される場合、単一のアイテムが、その１つを超えるアイテムと置換されてもよい。
【００６２】
[0060]別段の定義がなされない限り、本明細書において使用されるあらゆる技術用語および科学用語は、本発明が属する当業者によって一般に理解される意味と同じ意味を有する。材料、方法、および実施例は例示にすぎず、限定するものとして意図されていない。特定の材料および処理行為に関する一定の詳細が説明されていない限り、そのような詳細は、従来のアプローチを含んでもよく、従来のアプローチは、製造技術内の参考書および他の出典において見出され得る。
【００６３】
[0061]本開示の態様が具体的に示され、上記の実施形態を参照して説明されてきたが、開示されている内容の趣旨および範囲から逸脱することなく、開示されている機械、システムおよび方法の変形によって様々な付加的な実施形態が想定され得ることが、当業者によって理解されるであろう。そのような実施形態は、特許請求の範囲およびそれらの任意の均等物に基づいて決定されるような、本開示の範囲内に収まるものと理解されるべきである。
【符号の説明】
【００６４】
１００  ラミネートガラス
１００ａ  第１の基板
１００ｂ  第２の基板
１００ｃ  中間層
１０２  ＮＦＣデバイス
１０２Ａ  ＮＦＣアンテナ
１０２Ｂ  ＮＦＣ集積回路
１０４  ＲＦＩＤタグ
１０４Ａ  ＲＦＩＤアンテナ
１０４Ｂ  ＲＦＩＤ集積回路
１０６  加熱要素
７１０  セラミックマスキング領域
８１０  ＵＶ保護層
９１０  アクセス遮蔽層
１０１０  ステップ
１０２０  ステップ
１０３０  ステップ
【図１】
2020523681.tif 000008
【図２】
2020523681.tif 000009
【図３】
2020523681.tif 000010
【図４】
2020523681.tif 000011
【図５】
2020523681.tif 000012
【図６】
2020523681.tif 000013
【図７】
2020523681.tif 000014
【図８】
2020523681.tif 000015
【図９】
2020523681.tif 000016
【図１０】
2020523681.tif 000017
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
外面と内面とから成る第１の基板１００ａと、
前記第１の基板１００ａの前記内面上に配設される１つまたは複数の中間層１００ｃと、
前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置され、前記データトランスポンダデバイス１０２、１０４は、検出デバイスまたはモバイルデバイスとデータをワイヤレスで通信するように構成され、前記トランスポンダデバイス１０２、１０４の選択的な読み取りを提供する、
を備える、ラミネートガラス１００。
【請求項２】
外面と内面とから成る第１の基板１００ａと、
前記第１の基板１００ａの前記内面上に配設される１つまたは複数の中間層１００ｃと、
外面と内面とから成る、前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置される、
前記第１の基板１００ａと前記第２の基板１００ｂとの間に提供される１つまたは複数の加熱要素１０６と、ここにおいて、前記加熱要素１０６は、前記データトランスポンダデバイス１０２、１０４において予め定義された距離で前記アンテナ１０２ａ、１０４ａの周囲の領域を加熱するために前記データトランスポンダデバイス１０２、１０４の周囲に位置決めされ、それによって前記トランスポンダの可読性を改善する、
を備える、ラミネートガラス１００。
【請求項３】
前記ラミネートガラス１００のエッジの周囲にセラミックマスキング領域７１０を備える、請求項１または２に記載のラミネートガラス１００。
【請求項４】
前記データトランスポンダデバイス１０２、１０４が、セラミックマスキング領域７１０上に位置決めされ、それによって前記データトランスポンダデバイス１０２、１０４に紫外線保護を提供するように構成される、請求項１に記載のラミネートガラス１００。
【請求項５】
電波を反射または吸収することができる１つまたは複数の有機物または無機物から実質的に成るアクセス遮蔽層９１０を任意選択で備える、請求項１または２に記載のラミネートガラス１００。
【請求項６】
添加剤を有するエポキシ樹脂を備える前記データトランスポンダデバイス１０２、１０４に紫外線保護を提供するように構成されたＵＶ保護層８１０を任意選択で備え、ここにおいて、前記添加剤は、アクリル酸ウレタンベースのコーティング、二酸化チタン（Ｔｉｏ２）、酸化亜鉛（ＺｎＯ）ナノ粒子が埋め込まれたアクリルコーティング、フッ化アルミニウム（ＡｌＦ３）、ヘキサフルオロアルミン酸ナトリウム（ＮＡ３ＡｌＦ６）、フッ化マグネシウム（ＭｇＦ２）、三フッ化ランタン（ＬＡＦ３）、フッ化ガドリニウム（ＧｄＦ３）、または、これらの組合せから成る群から選択される、請求項１または２に記載のラミネートガラス１００。
【請求項７】
前記第１の基板１００ａまたは前記第２の基板１００ｂは、可変の厚さを有する、請求項１または２に記載のラミネートガラス１００。
【請求項８】
前記第１の基板１００ａまたは前記第２の基板１００ｂの前記厚さは、少なくとも０．５ｍｍである、請求項７に記載のラミネートガラス１００。
【請求項９】
前記データトランスポンダ１０２、１０４は、基板と、アンテナと、チップと、オーバーレイとから成る層のスタックから構成され、ここにおいて、前記基板および前記オーバーレイは、ガラスまたはポリマーから構成され、ここにおいて、前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタンおよび／もしくはポリ塩化ビニルおよび／もしくはポリエステルおよび／もしくは（ＴＰＵ）、アイオノマー、熱可塑性材料、ポリブチレンテレフタレート（ＰＢＴ）、ポリエチレン酢酸ビニル（ＰＥＴ）および／もしくはポリカーボネートおよび／もしくはポリプロピレンおよび／もしくはポリエチレンおよび／もしくはポリウレタンアクリレート、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、請求項１または２に記載のラミネートガラス１００。
【請求項１０】
前記第１の基板１００ａまたは前記第２の基板１００ｂのうちの少なくとも一方は、ガラスまたはポリマーである、請求項１または２に記載のラミネートガラス１００。
【請求項１１】
前記ポリマーは、ポリカーボネート（ＰＣ）またはポリプロピレン（ＰＰ）である、請求項１０に記載のラミネートガラス１００。
【請求項１２】
前記第１の基板１００ａまたは前記第２の基板１００ｂの形状は、平坦であり、湾曲しており、楔形であり、または起伏付きである、請求項１または２に記載のラミネートガラス１００。
【請求項１３】
前記中間層１００ｃは、ポリマーを備える、請求項１または２に記載のラミネートガラス１００。
【請求項１４】
前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタン（ＴＰＵ）、アイオノマー、熱可塑性材料、ポリブチレンテレフタレート（ＰＢＴ）、ポリエチレン酢酸ビニル（ＰＥＴ）、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、請求項１３に記載のラミネートガラス１００。
【請求項１５】
前記データトランスポンダデバイス１０２、１０４は、前記第１の基板１００ａと前記第２の基板１００ｂとの間に挟持される、請求項１または２に記載のラミネートガラス１００。
【請求項１６】
前記検出デバイスは、無線周波数（ＲＦ）リーダ、ハンドヘルドデバイス、モバイルデバイス、携帯電話、車両キー、およびタブレットのうちの少なくとも１つである、請求項１に記載のラミネートガラス１００。
【請求項１７】
前記データトランスポンダデバイスによって前記検出デバイスとワイヤレスで通信される前記データは、車両識別番号（ＶＩＮ）、自動車両登録状況、自動車両検査状況、保険コンプライアンス状況、誘拐事件速報システム、排出コンプライアンス状況、速度、通行料金アカウント情報、全地球測位システム（ＧＰＳ）データ、位置状況、自動車両セキュリティ／検索状況、車両登記データ、センサデータ、安全認証データ、排出制御認証データ、連絡先情報、製品識別番号、盗難防止システム、ドアの施錠・開錠、電源投入ならびにエンジン始動および停止制御、インターネット端末への接続開始、Ｗｉ−Ｆｉモジュールとの通信開始、外部要因に基づいたモバイルデバイスのモード変更、電子デバイスのスイッチオン／オフ、または、これらの組合せのうちの少なくとも１つを備える、請求項１に記載のラミネートガラス１００。
【請求項１８】
前記データトランスポンダデバイス１０２、１０４は、前記検出デバイスによってワイヤレスで動作させられ、電力供給される、請求項１に記載のラミネートガラス１００。
【請求項１９】
前記集積回路１０２ｂ、１０４ｂは、変調器と、前記データトランスポンダデバイス１０２、１０４に電力を供給するための光電池とを備える、請求項１または２に記載のラミネートガラス１００。
【請求項２０】
前記中間層１００ｃの厚さは、均一であり、または非均一である、請求項１または２に記載のラミネートガラス１００。
【請求項２１】
前記中間層１００ｃは、少なくとも１つのデータトランスポンダデバイス１０２、１０４を収容するように変形される、請求項１または２に記載のラミネートガラス１００。
【請求項２２】
前記中間層１００ｃは、切断、押圧、研削、加熱、または、これらの組合せから成る群から選択される方法によって変形される、請求項２１に記載のラミネートガラス１００。
【請求項２３】
前記データトランスポンダデバイス１０２、１０４は、５０μｍから５００μｍの範囲における厚さを有する、請求項１または２に記載のラミネートガラス１００。
【請求項２４】
前記データトランスポンダデバイス１０２、１０４は、可撓性要素または剛性要素のうちの少なくとも一方である、請求項１または２に記載のラミネートガラス１００。
【請求項２５】
前記データトランスポンダデバイス１０２、１０４は、金属、導電性ポリマー、金属グリッド、カーボンナノチューブ（ＣＮＴ）層、グラフェン、および透明な導電性酸化物から成る群から選択される材料で形成される、請求項１または２に記載のラミネートガラス１００。
【請求項２６】
前記データトランスポンダデバイス１０２、１０４は、能動的なＲＦＩＤタグ、受動的なＲＦＩＤタグおよび半受動的なＲＦＩＤタグのうちの少なくとも１つを含む、請求項１または２に記載のラミネートガラス１００。
【請求項２７】
前記データトランスポンダデバイス１０２、１０４は、近距離無線通信（ＮＦＣ）デバイス１０２および／または無線周波数識別（ＲＦＩＤ）タグ１０４またはこれらの組合せである、請求項１または２に記載のラミネートガラス１００。
【請求項２８】
前記データトランスポンダデバイス１０２、１０４は、印刷、堆積または他の適切な方法によって前記ラミネートガラス１００に一体化される、請求項１または２に記載のラミネートガラス１００。
【請求項２９】
前記集積回路１０２ｂ、１０４ｂは、メモリを備える、請求項１または２に記載のラミネートガラス１００。
【請求項３０】
前記メモリは、予め定義された情報が記憶された読み出し専用エリアと、ユーザによって構成可能な読み出し・書き込み部分とを含む、請求項２９に記載のラミネートガラス１００。
【請求項３１】
前記アンテナ１０２ａは、１３．６ＭＨｚの周波数で動作するように構成されたＮＦＣアンテナである、請求項１または２に記載のラミネートガラス１００。
【請求項３２】
前記アンテナ１０２ａは、３キロヘルツ（ｋＨｚ）から１０ギガヘルツ（ＧＨｚ）の間の周波数範囲において動作するように構成された高周波アンテナである、請求項１または２に記載のラミネートガラス１００。
【請求項３３】
自動車のフロントガラス、風よけおよび／またはサンルーフである、請求項１または２に記載のラミネートガラス１００。
【請求項３４】
請求項１に記載のラミネートガラス１００を製造する方法であって、前記方法は、
積層された組立体を形成するために、第１の基板１００ａおよび第２の基板１００ｂを、予め定義された位置における１つまたは複数のデータトランスポンダデバイス１０２、１０４と共に、１つまたは複数の中間層１００ｃに対して取り付けるステップと、
データトランスポンダデバイスのサイズ、数およびタイプに基づいて、前記積層された組立体を脱気するステップと、
前記データトランスポンダデバイス１０２、１０４が一体化されたラミネートガラス１００を形成するために、複数の圧力値と温度値とを含む連続する時間ステップにおいて前記脱気された積層された組立体を加圧滅菌するステップと
を備える、方法。
【手続補正２】
【補正対象書類名】明細書
【補正対象項目名】００６３
【補正方法】変更
【補正の内容】
【００６３】
[0061]本開示の態様が具体的に示され、上記の実施形態を参照して説明されてきたが、開示されている内容の趣旨および範囲から逸脱することなく、開示されている機械、システムおよび方法の変形によって様々な付加的な実施形態が想定され得ることが、当業者によって理解されるであろう。そのような実施形態は、特許請求の範囲およびそれらの任意の均等物に基づいて決定されるような、本開示の範囲内に収まるものと理解されるべきである。
以下に、出願当初の特許請求の範囲に記載の事項を付記する。
［１］  外面と内面とから成る第１の基板１００ａと、
前記第１の基板１００ａの前記内面上に配設される１つまたは複数の中間層１００ｃと、
前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置される、
を備える、ラミネートガラス１００。
［２］  外面と内面とから成る第１の基板１００ａと、
前記第１の基板１００ａの前記内面上に配設される１つまたは複数の中間層１００ｃと、
外面と内面とから成る、前記中間層１００ｃ上に配設される第２の基板１００ｂと、
１つまたは複数の中間層１００ｃ上に配設されるアンテナ１０２ａ、１０４ａと集積回路１０２ｂ、１０４ｂとを備える少なくとも１つのデータトランスポンダデバイス１０２、１０４と、ここにおいて、１つまたは複数の中間層１００ｃは、前記第１の基板１００ａと前記第２の基板１００ｂとの間に配置される、
前記第１の基板１００ａと前記第２の基板１００ｂとの間に提供される１つまたは複数の加熱要素１０６と、ここにおいて、前記加熱要素１０６は、前記データトランスポンダデバイス１０２、１０４において予め定義された距離で前記データトランスポンダデバイス１０２、１０４の周囲に位置決めされる、
を備える、ラミネートガラス１００。
［３］  前記加熱要素１０６が、前記アンテナ１０２ａ、１０４ａの周囲の領域を加熱するように構成される、［１］または［２］に記載のラミネートガラス１００。
［４］  前記ラミネートガラス１００のエッジの周囲にセラミックマスキング領域７１０を備える、［１］または［２］に記載のラミネートガラス１００。
［５］  前記データトランスポンダデバイス１０２、１０４が、前記セラミックマスキング領域７１０上に位置決めされ、それによって前記データトランスポンダデバイス１０２、１０４に紫外線保護を提供するように構成される、［４］に記載のラミネートガラス１００。
［６］  前記トランスポンダデバイス１０２、１０４の選択的な読み取りを提供するために電波を反射または吸収することができる１つまたは複数の有機物または無機物から実質的に成るアクセス遮蔽層９１０を任意選択で備える、［１］または［２］に記載のラミネートガラス１００。
［７］  添加剤を有するエポキシ樹脂を備える前記データトランスポンダデバイス１０２、１０４に紫外線保護を提供するように構成されたＵＶ保護層８１０を任意選択で備え、ここにおいて、前記添加剤は、アクリル酸ウレタンベースのコーティング、二酸化チタン（Ｔｉｏ２）、酸化亜鉛（ＺｎＯ）ナノ粒子が埋め込まれたアクリルコーティング、フッ化アルミニウム（ＡｌＦ３）、ヘキサフルオロアルミン酸ナトリウム（ＮＡ３ＡｌＦ６）、フッ化マグネシウム（ＭｇＦ２）、三フッ化ランタン（ＬＡＦ３）、フッ化ガドリニウム（ＧｄＦ３）、または、これらの組合せから成る群から選択される、［１］または［２］に記載のラミネートガラス１００。
［８］  前記第１の基板１００ａまたは前記第２の基板１００ｂは、可変の厚さを有する、［１］または［２］に記載のラミネートガラス１００。
［９］  前記第１の基板１００ａまたは前記第２の基板１００ｂの前記厚さは、少なくとも０．５ｍｍである、［８］に記載のラミネートガラス１００。
［１０］  前記データトランスポンダ１０２、１０４は、基板と、アンテナと、チップと、オーバーレイとから成る層のスタックから構成され、ここにおいて、前記基板および前記オーバーレイは、ガラスまたはポリマーから構成され、ここにおいて、前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタンおよび／もしくはポリ塩化ビニルおよび／もしくはポリエステルおよび／もしくは（ＴＰＵ）、アイオノマー、熱可塑性材料、ポリブチレンテレフタレート（ＰＢＴ）、ポリエチレン酢酸ビニル（ＰＥＴ）および／もしくはポリカーボネートおよび／もしくはポリプロピレンおよび／もしくはポリエチレンおよび／もしくはポリウレタンアクリレート、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、［１］または［２］に記載のラミネートガラス１００。
［１１］  前記第１の基板１００ａまたは前記第２の基板１００ｂのうちの少なくとも一方は、ガラスまたはポリマーである、［１］または［２］に記載のラミネートガラス１００。
［１２］  前記ポリマーは、ポリカーボネート（ＰＣ）またはポリプロピレン（ＰＰ）である、［１１］に記載のラミネートガラス１００。
［１３］  前記第１の基板１００ａまたは前記第２の基板１００ｂの形状は、平坦であり、湾曲しており、楔形であり、または起伏付きである、［１］または［２］に記載のラミネートガラス１００。
［１４］  前記中間層１００ｃは、ポリマーを備える、［１］または［２］に記載のラミネートガラス１００。
［１５］  前記ポリマーは、ポリビニルブチラール（ＰＶＢ）、ポリカーボネート（ＰＣ）、音響ＰＶＢ、シェードバンドＰＶＢ、熱制御ＰＶＢ、エチレン酢酸ビニル（ＥＶＡ）、熱可塑性ポリウレタン（ＴＰＵ）、アイオノマー、熱可塑性材料、ポリブチレンテレフタレート（ＰＢＴ）、ポリエチレン酢酸ビニル（ＰＥＴ）、ポリエチレンナフタレート（ＰＥＮ）、ポリ塩化ビニル（ＰＶＣ）、ポリフッ化ビニル（ＰＶｆ）、ポリアクリル酸塩（ＰＡ）、ポリメチルメタクリレート（ＰＭＭＡ）、ポリウレタン（ＰＵＲ）、または、これらの組合せから成る群から選択される、［１４］に記載のラミネートガラス１００。
［１６］  前記データトランスポンダデバイス１０２、１０４は、前記第１の基板１００ａと前記第２の基板１００ｂとの間に挟持される、［１］または［２］に記載のラミネートガラス１００。
［１７］  前記データトランスポンダデバイス１０２、１０４は、検出デバイスとデータをワイヤレスで通信するように構成される、［１］または［２］に記載のラミネートガラス１００。
［１８］  前記検出デバイスは、無線周波数（ＲＦ）リーダ、ハンドヘルドデバイス、モバイルデバイス、携帯電話、車両キー、およびタブレットのうちの少なくとも１つである、［１７］に記載のラミネートガラス１００。
［１９］  前記無線周波数（ＲＦ）リーダは、前記車両のフロントガラス、車体フレーム、およびダッシュボード領域のうちの少なくとも１つに実装される、［１８］に記載のラミネートガラス１００。
［２０］  前記データトランスポンダデバイスによって前記検出デバイスとワイヤレスで通信される前記データは、車両識別番号（ＶＩＮ）、自動車両登録状況、自動車両検査状況、保険コンプライアンス状況、誘拐事件速報システム、排出コンプライアンス状況、速度、通行料金アカウント情報、全地球測位システム（ＧＰＳ）データ、位置状況、自動車両セキュリティ／検索状況、車両登記データ、センサデータ、安全認証データ、排出制御認証データ、連絡先情報、製品識別番号、盗難防止システム、ドアの施錠・開錠、電源投入ならびにエンジン始動および停止制御、インターネット端末への接続開始、Ｗｉ−Ｆｉモジュールとの通信開始、外部要因に基づいたモバイルデバイスのモード変更、電子デバイスのスイッチオン／オフ、または、これらの組合せのうちの少なくとも１つを備える、［１７］に記載のラミネートガラス１００。
［２１］  前記データトランスポンダデバイス１０２、１０４は、前記検出デバイスによってワイヤレスで動作させられ、電力供給される、［１７］に記載のラミネートガラス１００。
［２２］  前記集積回路１０２ｂ、１０４ｂは、変調器と、前記データトランスポンダデバイス１０２、１０４に電力を供給するための光電池とを備える、［１］または［２］に記載のラミネートガラス１００。
［２３］  前記中間層１００ｃの前記厚さは、均一であり、または非均一である、［１］または［２］に記載のラミネートガラス１００。
［２４］  前記中間層１００ｃは、少なくとも１つのデータトランスポンダデバイス１０２、１０４を収容するように変形される、［１］または［２］に記載のラミネートガラス１００。
［２５］  前記中間層１００ｃは、切断、押圧、研削、加熱、または、これらの組合せから成る群から選択される方法によって変形される、［２４］に記載のラミネートガラス１００。
［２６］  前記データトランスポンダデバイス１０２、１０４は、５０μｍから５００μｍの範囲における厚さを有する、［１］または［２］に記載のラミネートガラス１００。
［２７］  前記データトランスポンダデバイス１０２、１０４は、可撓性要素または剛性要素のうちの少なくとも一方である、［１］または［２］に記載のラミネートガラス１００。
［２８］  前記データトランスポンダデバイス１０２、１０４は、金属、導電性ポリマー、金属グリッド、カーボンナノチューブ（ＣＮＴ）層、グラフェン、および透明な導電性酸化物から成る群から選択される材料で形成される、［１］または［２］に記載のラミネートガラス１００。
［２９］  前記データトランスポンダデバイス１０２、１０４は、能動的なＲＦＩＤタグ、受動的なＲＦＩＤタグおよび半受動的なＲＦＩＤタグのうちの少なくとも１つを含む、［１］または［２］に記載のラミネートガラス１００。
［３０］  前記データトランスポンダデバイス１０２、１０４は、近距離無線通信（ＮＦＣ）デバイス１０２および／または無線周波数識別（ＲＦＩＤ）タグ１０４である、［１］または［２］に記載のラミネートガラス１００。
［３１］  前記データトランスポンダデバイス１０２、１０４は、印刷、堆積または他の適切な方法によって前記ラミネートガラス１００に一体化される、［１］または［２］に記載のラミネートガラス１００。
［３２］  前記集積回路１０２ｂ、１０４ｂは、メモリを備える、［１］または［２］に記載のラミネートガラス１００。
［３３］  前記メモリは、予め定義された情報が記憶された読み出し専用エリアと、ユーザによって構成可能な読み出し・書き込み部分とを含む、［３２］に記載のラミネートガラス１００。
［３４］  前記アンテナ１０２ａは、１３．６ＭＨｚの周波数で動作するように構成されたＮＦＣアンテナである、［１］または［２］に記載のラミネートガラス１００。
［３５］  前記アンテナ１０２ａは、３キロヘルツ（ｋＨｚ）から１０ギガヘルツ（ＧＨｚ）の間の周波数範囲において動作するように構成された高周波アンテナである、［１］または［２］に記載のラミネートガラス１００。
［３６］  車両に取り付けるために構成される、［１］または［２］に記載のラミネートガラス１００。
［３７］  自動車のフロントガラス、風よけおよび／またはサンルーフである、［１］または［２］に記載のラミネートガラス１００。
［３８］  ［１］に記載のラミネートガラス１００を製造する方法であって、前記方法は、
積層された組立体を形成するために、第１の基板１００ａおよび第２の基板１００ｂを、予め定義された位置における１つまたは複数のデータトランスポンダデバイス１０２、１０４と共に、１つまたは複数の中間層１００ｃに対して取り付けるステップと、
データトランスポンダデバイスのサイズ、数およびタイプに基づいて、前記積層された組立体を脱気するステップと、
前記データトランスポンダデバイス１０２、１０４が一体化されたラミネートガラス１００を形成するために、複数の圧力値と温度値とを含む連続する時間ステップにおいて前記脱気された積層された組立体を加圧滅菌するステップと
を備える、方法。
【国際調査報告】
2020523681.tif 000018
2020523681.tif 000019